【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
クラウドベースのサーバから、ケーブル試験デバイスの利用に関するメッセージを生成するためのシステムであって、
１つ又は２つ以上のケーブリング試験手順を実行するように構成された少なくとも１つのケーブル試験デバイスと、
前記少なくとも１つのケーブル試験デバイスとのデータの送信のために、前記少なくとも１つのケーブル試験デバイスとネットワークを介して連結するように構成されたクラウドベースのサーバと、を備え、前記クラウドベースのサーバは、
前記少なくとも１つのケーブル試験デバイスから受信したケーブル試験デバイス活動データを記憶するように構成されたデータベースと、
プロセッサであって、
リモートユーザから、前記１つ又は２つ以上のケーブリング試験手順を実行する前記少なくとも１つのケーブル試験デバイスより先に、前記リモートユーザによって定義される内容を有し、且つ、定義されたイベントが、前記受信したケーブル試験デバイス活動データによって満たされたことを条件として、１つ又は２つ以上の所定の受信コンピューティングデバイスに電子的に伝送されるリモートユーザ定義メッセージを受信することと、
前記少なくとも１つのケーブル試験デバイスが、前記１つ又は２つ以上のケーブリング試験手順を実行する後で、前記ケーブル試験デバイス活動データの受信に応じて、前記受信したケーブル試験デバイス活動データを解析して、前記定義されたイベントがいつ満たされたかを判定することと、
前記定義されたイベントが前記受信したケーブル試験デバイス活動データによって満たされたとの判定に応じて、前記１つ又は２つ以上の所定の受信コンピューティングデバイスに前記リモートユーザ定義メッセージを電子的に送信することと、を行うように構成された、プロセッサと、を含む、システム。
【請求項２】
前記少なくとも１つのケーブル試験デバイスのそれぞれは、ケーブルのケーブリング証明、適格性確認及び検証のうちの少なくとも１つを実行するように構成されている、請求項１に記載のシステム。
【請求項３】
前記定義されたイベントが、前記受信したケーブル試験デバイス活動データによって満たされたことを条件として、電子的に伝送されるリモートユーザ定義メッセージを定義するリモートユーザが、前記ケーブル試験デバイスのユーザとは別であり、且つ、前記リモートユーザは、前記クラウドベースのサーバと対話して、ケーブルの試験を含むタスクに関する前記受信したケーブル試験デバイス活動データにおけるデータパラメータに基づいて生成されるリモートユーザ定義メッセージを定義する、請求項１に記載のシステム。
【請求項４】
前記電子的に送信されるメッセージは、前記少なくとも１つのケーブル試験デバイスとは別の前記１つ又は２つ以上の所定の受信者コンピューティングデバイスのうちの前記所定の受信コンピューティングデバイスに送られる、請求項１に記載のシステム。
【請求項５】
前記電子的に送信されるメッセージは、ｔｘｔメッセージ、電子メールメッセージ又はウェブサイトページのうちの１つを介して、前記１つ又は２つ以上の所定の受信コンピューティングデバイスに送信される、請求項１に記載のシステム。
【請求項６】
前記リモートユーザ定義メッセージは、ケーブルネットワーク試験プロジェクトのために行われている前記１つ又は２つ以上のケーブリング試験手順に関する、請求項１に記載のシステム。
【請求項７】
前記ケーブルネットワーク試験プロジェクトは、複数のケーブル試験デバイスの利用を必要とする、請求項６に記載のシステム。
【請求項８】
前記定義されたイベントは、前記ケーブルネットワーク試験プロジェクトの進捗度合に関する、請求項６に記載のシステム。
【請求項９】
前記定義されたイベントは、前記ケーブルネットワーク試験プロジェクトが特定の日に開始していないことに関する、請求項６に記載のシステム。
【請求項１０】
前記定義されたイベントは、前記ケーブルネットワーク試験プロジェクトに関する予定されていない試験データ活動データの受信に関する、請求項６に記載のシステム。
【請求項１１】
前記定義されたイベントは、受信した試験データに関し、前記受信した試験データは、ケーブル試験が、前記受信した試験データが関する前記ケーブルネットワーク試験プロジェクトのために定められた試験手順に従わずに実行されたことを示している、請求項６に記載のシステム。
【請求項１２】
前記定義されたイベントは、同一のケーブル試験手順に関する、複数の試験データパケットの受信に関する、請求項６に記載のシステム。
【請求項１３】
前記定義されたイベントは、ケーブル試験手順の地理的場所に関する試験データパケットの受信に関する、請求項６に記載のシステム。
【請求項１４】
前記定義されたイベントは、ケーブル試験デバイスがキャリブレーションを必要とするかを判定することに関する、請求項６に記載のシステム。
【請求項１５】
クラウドベースのサーバから、ケーブル試験デバイスの利用に関するメッセージを生成するための方法であって、
前記第１のユーザによって定義される内容を有する１つ又は２つ以上のユーザ定義メッセージであり、定義されたイベントが、１つ又は２つ以上のケーブル試験デバイスに関する前記クラウドベースのサーバにおいて受信されたケーブル試験デバイス活動データによって満たされたことを条件として、生成され、且つ、前記クラウドベースのサーバから１つ又は２つ以上の所定の受信コンピューティングデバイスに電子的に送信される前記１つ又は２つ以上のユーザ定義メッセージをクラウドベースのサーバで、第１のユーザから、受信する工程であって、前記第１のユーザが、前記１つ又は２つ以上のケーブル試験デバイスの第２のユーザとは別であり、前記クラウドベースのサーバと対話して、ケーブルの試験を含むタスクに関する前記受信したケーブル試験デバイス活動データにおけるパラメータに基づいて生成される前記１つ又は２つ以上のユーザ定義メッセージを定義し、且つ、前記１つ又は２つ以上のユーザ定義メッセージが、前記ケーブル試験デバイス活動データの受信より先に受信される、工程と、
前記１つ又は２つ以上のケーブル試験デバイスから前記ケーブル試験デバイス活動データを受信する工程と、
前記受信したケーブル試験デバイス活動データを解析して、前記定義されたイベントが前記受信したケーブル試験デバイス活動データによっていつ満たされたかを判定する工程と、
前記定義されたイベントが満たされたとの判定に応じて、前記第１のユーザによって定義された前記１つ又は２つ以上のメッセージを生成し、且つ、前記１つ又は２つ以上のユーザ定義メッセージを前記１つ又は２つ以上の所定の受信コンピューティングデバイスに電子的に送信する工程と、を含む、方法。
【請求項１６】
前記１つ又は２つ以上のケーブル試験デバイスのそれぞれは、ケーブルのケーブリング証明、適格性認証及び検証のうちの少なくとも１つを実行するように構成されている、請求項１５に記載の方法。
【請求項１７】
前記１つ又は２つ以上のリモートユーザ定義メッセージは、ケーブルネットワーク試験プロジェクトに関する、請求項１５に記載の方法。
【請求項１８】
前記ケーブルネットワーク試験プロジェクトは、複数のケーブル試験デバイスの利用を必要とする、請求項１７に記載の方法。
【請求項１９】
前記定義されたイベントは、前記ケーブルネットワーク試験プロジェクトの進捗度合に関する、請求項１７に記載の方法。
【請求項２０】
コンピュータ命令を記憶するメモリと、
アクションを実行する前記コンピュータ命令を実行するプロセッサであって、前記アクションが、
ユーザから、前記ユーザによって定義された内容を有し、且つ、ケーブル試験デバイスによるケーブルについてのケーブリング試験手順実行から出たケーブル試験データによって満たされている定義されたイベントに応じて、受信コンピューティングデバイスに電子的に送信されるユーザ定義アラートを受信することであって、
前記ユーザ定義アラートが、前記ケーブリング試験手順を実行する前記ケーブル試験デバイスより先に受信される、前記ユーザ定義アラートを受信することと、
前記ケーブル試験デバイスから、前記ケーブリング試験手順を実行する前記ケーブル試験デバイスに応じて、前記ケーブル試験データを受信することと、
前記受信したケーブル試験データを解析して、前記定義されたイベントが前記受信したケーブル試験データによって満たされたかを判定することと、
前記受信したケーブル試験データによって満たされた前記定義されたイベントに応じて、前記ユーザ定義アラートを生成して、前記受信コンピューティングデバイスに電子的に送信することとを含む、プロセッサと、を含むコンピューティングデバイス。
【手続補正２】
【補正対象書類名】明細書
【補正対象項目名】発明の名称
【補正方法】変更
【補正の内容】
【発明の名称】ケーブル試験デバイスの動作に関するメッセージを管理するためのクラウドベースのシステム及び方法及びコンピューティングデバイス
【手続補正３】
【補正対象書類名】明細書
【補正対象項目名】０００５
【補正方法】変更
【補正の内容】
【０００５】
これら及び他の利点を達成するために、かつ、例示の実施形態の目的に従って、一態様において、クラウドベースのサーバから、ケーブル試験デバイスの利用に関するメッセージを生成するためのシステム及び方法及びコンピューティングデバイスが説明される。
クラウドベースのサーバから、ケーブル試験デバイスの利用に関するメッセージを生成するためのシステムであって、１つ又は２つ以上のケーブリング試験手順を実行するように構成された少なくとも１つのケーブル試験デバイスと、少なくとも１つのケーブル試験デバイスとのデータの送信のために、少なくとも１つのケーブル試験デバイスとネットワークを介して連結するように構成されたクラウドベースのサーバと、を備え、前記クラウドベースのサーバは、少なくとも１つのケーブル試験デバイスから受信したケーブル試験デバイス活動データを記憶するように構成されたデータベースと、プロセッサであって、リモートユーザから、１つ又は２つ以上のケーブリング試験手順を実行する少なくとも１つのケーブル試験デバイスより先に、リモートユーザによって定義される内容を有し、且つ、定義されたイベントが、受信したケーブル試験デバイス活動データによって満たされたことを条件として、１つ又は２つ以上の所定の受信コンピューティングデバイスに電子的に伝送されるリモートユーザ定義メッセージを受信することと、少なくとも１つのケーブル試験デバイスが、１つ又は２つ以上のケーブリング試験手順を実行する後で、ケーブル試験デバイス活動データの受信に応じて、受信したケーブル試験デバイス活動データを解析して、定義されたイベントがいつ満たされたかを判定することと、定義されたイベントが受信したケーブル試験デバイス活動データによって満たされたとの判定に応じて、１つ又は２つ以上の所定の受信コンピューティングデバイスにリモートユーザ定義メッセージを電子的に送信することと、を行うように構成された、プロセッサと、を含む。
クラウドベースのサーバから、ケーブル試験デバイスの利用に関するメッセージを生成するための方法であって、第１のユーザによって定義される内容を有する１つ又は２つ以上のユーザ定義メッセージであり、定義されたイベントが、１つ又は２つ以上のケーブル試験デバイスに関するクラウドベースのサーバにおいて受信されたケーブル試験デバイス活動データによって満たされたことを条件として、生成され、且つ、クラウドベースのサーバから１つ又は２つ以上の所定の受信コンピューティングデバイスに電子的に送信される１つ又は２つ以上のユーザ定義メッセージをクラウドベースのサーバで、第１のユーザから、受信する工程であって、第１のユーザが、１つ又は２つ以上のケーブル試験デバイスの第２のユーザとは別であり、クラウドベースのサーバと対話して、ケーブルの試験を含むタスクに関する受信したケーブル試験デバイス活動データにおけるパラメータに基づいて生成される１つ又は２つ以上のユーザ定義メッセージを定義し、且つ、１つ又は２つ以上のユーザ定義メッセージが、ケーブル試験デバイス活動データの受信より先に受信される、工程と、１つ又は２つ以上のケーブル試験デバイスからケーブル試験デバイス活動データを受信する工程と、受信したケーブル試験デバイス活動データを解析して、定義されたイベントが受信したケーブル試験デバイス活動データによっていつ満たされたかを判定する工程と、定義されたイベントが満たされたとの判定に応じて、第１のユーザによって定義された１つ又は２つ以上のメッセージを生成し、且つ、１つ又は２つ以上のユーザ定義メッセージを１つ又は２つ以上の所定の受信コンピューティングデバイスに電子的に送信する工程と、を含む。
コンピュータ命令を記憶するメモリと、アクションを実行するコンピュータ命令を実行するプロセッサであって、前記アクションが、ユーザから、前記ユーザによって定義された内容を有し、且つ、ケーブル試験デバイスによるケーブルについてのケーブリング試験手順実行から出たケーブル試験データによって満たされている定義されたイベントに応じて、受信コンピューティングデバイスに電子的に送信されるユーザ定義アラートを受信することであって、ユーザ定義アラートが、ケーブリング試験手順を実行するケーブル試験デバイスより先に受信される、ユーザ定義アラートを受信することと、ケーブル試験デバイスから、ケーブリング試験手順を実行するケーブル試験デバイスに応じて、ケーブル試験データを受信することと、受信したケーブル試験データを解析して、定義されたイベントが受信したケーブル試験データによって満たされたかを判定することと、受信したケーブル試験データによって満たされた定義されたイベントに応じて、ユーザ定義アラートを生成して、受信コンピューティングデバイスに電子的に送信することとを含む、プロセッサと、を含む。